(57)【要約】【課題】屋根上設備を撤去した後の屋根の復旧が容易で、防水性能および外観も良好にできる屋根補修方法および屋根補修器具を提供する。【解決手段】屋根上設備を撤去した後、屋根面材３の表面側から挿通孔４を覆うカバー部１１と挿通孔４に挿通可能なねじ軸部１２とを有するキャップ部材１３を準備し、挿通孔４を有する屋根面材３を取り外し、屋根１の屋根面材３を取り外した部分で、支持体の撤去および撤去後の防水処理（コーキング２１）を行い、取り外した屋根面材３の挿通孔４にキャップ部材１３を配置してカバー部１１で挿通孔４を覆い、ねじ軸部１２をナット１７で締め付けてキャップ部材１３を屋根面材３に固定し、キャップ部材１３と屋根面材３との間の防水処理（表側パッキン材１４、裏側パッキン材１５およびコーキング１８，１９）を行い、キャップ部材１３が装着された屋根面材３を、屋根１の元の部位に戻す。【選択図】図９
2017072010.tif 000002
【特許請求の範囲】
【請求項１】
複数の屋根面材で覆われかつ屋根上設備が前記屋根面材の挿通孔を通る支持体で支持されていた屋根に対し、前記屋根上設備を撤去した後に前記屋根を復旧する屋根補修方法であって、
前記屋根面材の表面側から前記挿通孔を覆うことが可能なカバー部と、前記カバー部に接続されかつ前記挿通孔に挿通可能な軸部とを有するキャップ部材を準備する工程と、
前記屋根面材のうち前記挿通孔を有するものを取り外す工程と、
前記屋根の前記屋根面材を取り外した部分で、前記支持体の撤去および撤去後の防水処理を行う工程と、
取り外した前記屋根面材の前記挿通孔に前記キャップ部材を配置し、前記軸部を前記挿通孔に挿通して前記カバー部で前記挿通孔を覆い、前記キャップ部材を前記屋根面材に固定するとともに、前記キャップ部材と前記屋根面材との間の防水処理を行う工程と、
前記キャップ部材が装着された前記屋根面材を、前記屋根の元の部位に戻す工程と、を有することを特徴とする屋根補修方法。
【請求項２】
請求項１に記載した屋根補修方法において、
前記軸部がねじ軸部である前記キャップ部材を用い、
前記キャップ部材を前記屋根面材に装着する際には、
前記ねじ軸部を前記挿通孔に挿通し、前記カバー部と前記屋根面材の表面との間に表側パッキン材を挟み込み、
前記ねじ軸部が前記屋根面材の裏面まで挿通されたら、前記ねじ軸部にワッシャおよびナットを通し、前記屋根面材の裏面と前記ワッシャとの間に裏側パッキン材を挟み込み、
前記ナットを締め付けて前記キャップ部材の固定を行うとともに、前記表側パッキン材および前記裏側パッキン材を前記屋根面材に圧接させることを特徴とする屋根補修方法。
【請求項３】
請求項２に記載した屋根補修方法において、
本発明において、前記ナットを締め付けて前記表側パッキン材を前記屋根面材に圧接させた状態で、前記カバー部および前記表側パッキン材の周囲にコーキングを施すことを特徴とする屋根補修方法。
【請求項４】
複数の屋根面材で覆われかつ屋根上設備が前記屋根面材の挿通孔を通る支持体で支持されていた屋根に対し、前記屋根上設備を撤去した後に前記屋根を復旧する屋根補修方法で使用される屋根補修器具であって、
前記屋根面材の表面に配置されて前記挿通孔を覆うことが可能なカバー部と、前記カバー部から交差方向に延びて前記挿通孔に挿通可能なねじ軸部と、を有するキャップ部材を備えるとともに、
前記ねじ軸部に挿通された表側パッキン材、裏側パッキン材、ワッシャおよびナットを有することを特徴とする屋根補修器具。
【発明の詳細な説明】
【技術分野】
【０００１】
本発明は、屋根補修方法および屋根補修器具に関し、屋根上設備の撤去跡を復旧するための方法および器具に関する。
【背景技術】
【０００２】
従来、建物の屋根には、太陽光発電設備や太陽熱温水器などの屋根上設備が設置される。屋根上設備を確実に固定するために、屋根上設備は屋根の下地材まで達する支持体で支持される。
屋根上設備が設置される建物の屋根が、瓦葺きやスレート葺きなどの場合、一部の屋根面材には、支持体を挿通させる挿通孔が形成される（特許文献１参照）。
【先行技術文献】
【特許文献】
【０００３】
【特許文献１】特開２０１３−１８９８０６号公報
【発明の概要】
【発明が解決しようとする課題】
【０００４】
前述した屋根上設備が不要になった際には、同設備および支持体を屋根上から撤去する。支持体を挿通する挿通孔が形成されていた屋根面材については、同仕様の屋根面材に更新することが望ましい。
しかし、屋根上設備の使用期間は数年単位と長く、その間に同仕様の製品が入手できなくなっていることがある。
同仕様の屋根面材が得られない場合、現状の屋根面材に対し、挿通孔を塞ぐなどの補修を行うことで、屋根の復旧を行うことができる。
しかし、挿通孔を塞いだ部分で確実な防水性を確保し、かつ外観的にも違和感がない状態に復旧するためには、煩雑な作業が避けられなかった。
【０００５】
本発明の目的は、屋根上設備を撤去した後の屋根の復旧が容易で、防水性能および外観も良好にできる屋根補修方法および屋根補修器具を提供することにある。
【課題を解決するための手段】
【０００６】
本発明の屋根補修方法は、複数の屋根面材で覆われかつ屋根上設備が前記屋根面材の挿通孔を通る支持体で支持されていた屋根に対し、前記屋根上設備を撤去した後に前記屋根を復旧する屋根補修方法であって、前記屋根面材の表面側から前記挿通孔を覆うことが可能なカバー部と、前記カバー部に接続されかつ前記挿通孔に挿通可能な軸部とを有するキャップ部材を準備する工程と、前記屋根面材のうち前記挿通孔を有するものを取り外す工程と、前記屋根の前記屋根面材を取り外した部分で、前記支持体の撤去および撤去後の防水処理を行う工程と、取り外した前記屋根面材の前記挿通孔に前記キャップ部材を配置し、前記軸部を前記挿通孔に挿通して前記カバー部で前記挿通孔を覆い、前記キャップ部材を前記屋根面材に固定するとともに、前記キャップ部材と前記屋根面材との間の防水処理を行う工程と、前記キャップ部材が装着された前記屋根面材を、前記屋根の元の部位に戻す工程と、を有することを特徴とする。
【０００７】
このような本発明では、屋根上設備の撤去前から屋根に設置されていた屋根面材を再利用することができ、同仕様の屋根面材が得られない場合でも、屋根の復旧を行うことができる。
復旧に用いる屋根面材においては、挿通孔をキャップ部材で覆うとともに、キャップ部材は軸部を挿通孔に通して固定されるため、外部に露出する部分などがなく、カバー部のみが露出することになる。従って、復旧された屋根の外観性を良好にできる。
取り外した屋根面材においては、キャップ部材と屋根面材との間の防水処理を行うとともに、屋根面材を取り外した部分においては、屋根下地などの防水処理を行っておくことで、復旧された屋根の防水性能を良好にできる。
復旧作業にあたって、屋根面材への施工（キャップ部材の装着ないし防水処理）は、屋根面材を屋根から取り外した状態で行うことができる。一方、屋根において、支持体の撤去ないし防水処理は、屋根面材が取り外された状態で行うことができる。従って、それぞれ無理な姿勢あるいは作業を解消でき、屋根の復旧を容易に行うことができる。
【０００８】
本発明において、前記軸部がねじ軸部である前記キャップ部材を用い、前記キャップ部材を前記屋根面材に装着する際には、前記ねじ軸部に表側パッキン材を通した後、前記ねじ軸部を前記挿通孔に挿通し、前記カバー部と前記屋根面材の表面との間に前記表側パッキン材を挟み込み、前記ねじ軸部が前記屋根面材の裏面まで挿通されたら、前記ねじ軸部に裏側パッキン材、ワッシャおよびナットを通し、前記屋根面材の裏面と前記ワッシャとの間に前記裏側パッキン材を挟み込み、前記ナットを締め付けて前記キャップ部材の固定を行うとともに、前記表側パッキン材および前記裏側パッキン材を前記屋根面材に圧接させることが望ましい。
【０００９】
このような本発明では、ねじ軸部およびナットを用いてキャップ部材の固定を容易かつ確実に行うことができる。さらに、表側パッキン材および裏側パッキン材を用い、屋根面材に圧接させることで、挿通孔の表側および裏側における防水性能を強化することができる。
【００１０】
本発明において、前記ナットを締め付けて前記表側パッキン材を前記屋根面材に圧接させた状態で、前記カバー部および前記表側パッキン材の周囲にコーキングを施すことが望ましい。
【００１１】
このような本発明では、コーキング処理により防水性能を更に強化できるとともに、表側パッキンが既に圧縮された状態でコーキング処理を行うため、固化したコーキング材に変形などが生じず、所期の防水性を確保することができる。
【００１２】
なお、同状態において、カバー部の表面およびコーキングに対し、屋根面材に親和性が高い塗料による塗装を行ってもよい。
このような塗装の定着性を向上するために、カバー部の表面にサンドブラスト処理などで微小な凹凸を形成しておいてもよい。
【００１３】
本発明の屋根補修器具は、複数の屋根面材で覆われかつ屋根上設備が前記屋根面材の挿通孔を通る支持体で支持されていた屋根に対し、前記屋根上設備を撤去した後に前記屋根を復旧するための屋根補修器具であって、前記屋根面材の表面に配置されて前記挿通孔を覆うことが可能なカバー部と、前記カバー部から交差方向に延びて前記挿通孔に挿通可能なねじ軸部と、を有するキャップ部材を備えるとともに、前記ねじ軸部に挿通された表側パッキン材、裏側パッキン材、ワッシャおよびナットを有することを特徴とする。
【００１４】
このような本発明の屋根補修器具は、前述した本発明の屋根補修方法に好適に利用でき、屋根補修方法で説明した通りの作用効果を得ることができる。
【発明の効果】
【００１５】
本発明によれば、屋根上設備を撤去した後の屋根の復旧が容易で、防水性能および外観も良好にできる屋根補修方法および屋根補修器具を提供することができる。
【図面の簡単な説明】
【００１６】
【図１】本発明の一実施形態の補修された屋根を示す断面図。
【図２】前記実施形態における補修前の屋根を示す断面図。
【図３】前記実施形態で用いる屋根補修器具を示す分解斜視図。
【図４】前記実施形態の屋根補修器具の装着状態を示す断面図。
【図５】前記実施形態の屋根補修手順を示すフローチャート。
【図６】前記実施形態で屋根面材を取り外した状態を示す断面図。
【図７】前記実施形態で屋根面材に屋根補修器具を装着する手順を示す断面図。
【図８】前記実施形態で屋根面材に屋根補修器具を装着する手順を示す断面図。
【図９】前記実施形態で屋根面材を再び取り付ける手順を示す断面図。
【発明を実施するための形態】
【００１７】
以下、本発明の一実施形態を図面に基づいて説明する。
図１は、本実施形態の屋根補修器具１０を用いて補修された屋根１を示す。
屋根１は、屋根下地材２の上面に、複数の屋根面材３を並べて形成されている。
屋根下地材２は、小屋組に張られた野地板などであり、その上面は防水シート（図示省略）で覆われている。
屋根面材３は、瓦やルーフィング材などである。屋根面材３の一部には、表裏を貫通する挿通孔４が形成されている。
【００１８】
図２は、本実施形態の屋根の補修前の状態を示す。
屋根１は、その上面側に屋根上設備９が設置されていた。屋根上設備９は、支持体８により屋根下地材２に支持されていた。
支持体８は、屋根下地材２に釘などで固定されたベース８１と、ベース８１から起立するアンカー８２とを有し、アンカー８２は挿通孔４を通して屋根面材３の上面側に引き出されていた。
このような屋根１において、屋根上設備９が撤去された際には、屋根面材３に挿通孔４が残る。そこで、本実施形態では、屋根補修器具１０を用いて挿通孔４を封止する。
【００１９】
図３において、屋根補修器具１０は、カバー部１１およびねじ軸部１２を有するキャップ部材１３を備えるとともに、ねじ軸部１２に挿通される表側パッキン材１４、裏側パッキン材１５、ワッシャ１６およびナット１７を備えている。
【００２０】
カバー部１１は、部分球面とされた円板状の部材であり、ステンレス材料で形成されている。一例として、カバー部１１の厚みは１ｍｍ、カバー部１１の外径は６０ｍｍ、球面による高さ（外周に対する中心部の高さ）は５ｍｍとされている。
カバー部１１の表面には、塗装の定着性を向上するために、サンドブラスト処理などで微小な凹凸が形成されている。
ねじ軸部１２は、ステンレス製のねじ軸（例えばＭ１２相当）であり、一方の端部を、カバー部１１の凹面側の中央に、溶接で固定されている。
これらのカバー部１１およびねじ軸部１２により、キャップ部材１３が構成されている。
【００２１】
表側パッキン材１４および裏側パッキン材１５は、それぞれクロロプレンゴム発泡体などの弾性素材で形成された円板状の部材であり、ねじ軸部１２を挿入可能な中心孔が形成されている。
表側パッキン材１４および裏側パッキン材１５の外径は、外力がない状態で、カバー部１１の外径よりやや小さく形成されている（例えば５８ｍｍ）。
【００２２】
表側パッキン材１４および裏側パッキン材１５の中心孔の内径は、外力がない状態で、ねじ軸部１２の外径よりも小径とされている（例えば８ｍｍ）。ただし、中心孔にねじ軸部１２を圧入すれば、中心孔はねじ軸部１２に応じて拡張する。
表側パッキン材１４および裏側パッキン材１５の相違は、各々の厚さつまり軸方向の長さであり、表側パッキン材１４の厚み（例えば１５ｍｍ）は裏側パッキン材１５の厚み（例えば８ｍｍ）の約２倍とされている。
【００２３】
ワッシャ１６は、ねじ軸部１２に挿通可能なステンレス製の平ワッシャである。ワッシャ１６の厚みは例えば１ｍｍとされる。
ナット１７は、ねじ軸部１２に螺合可能なステンレス製の六角ナット（例えばＭ１２相当）である。
【００２４】
図４は、屋根補修器具１０を屋根面材３の挿通孔４に装着した状態を示す。
キャップ部材１３は、カバー部１１が屋根面材３の表側に配置され、ねじ軸部１２が挿通孔４に挿入されている。
カバー部１１と屋根面材３の表側との間には、表側パッキン材１４が挟み込まれている。
屋根面材３の裏側まで挿通されたねじ軸部１２には、裏側パッキン材１５およびワッシャ１６が挿通されたうえ、ナット１７が螺合されている。
【００２５】
屋根面材３の裏側で、ナット１７を締め付けることで、表側パッキン材１４がカバー部１１と屋根面材３との間で圧縮され、屋根面材３の表面の起伏に沿って変形し、屋根面材３に密着することで防水シールされる。
また、裏側パッキン材１５が、ワッシャ１６と屋根面材３との間で圧縮され、屋根面材３の裏面の起伏に沿って変形し、屋根面材３に密着することで防水シールされる。
【００２６】
なお、挿通孔４とねじ軸部１２との隙間には、別途防水用のコーキング材１８が隅々まで充填されている。
また、表側パッキン材１４の外周面には、屋根面材３の表面からカバー部１１の外周にわたって、隙間なくコーキング材１９が塗布されている。
【００２７】
図５は、本実施形態における屋根１の補修手順を示す。
先ず、準備工程として、前述した屋根補修器具１０を準備する（図５の処理Ｓ１）。
次に、屋根１に設置されている屋根上設備９（図２参照）を撤去し、支持体８も解体する（図５の処理Ｓ２）。
続いて、図６に示すように、支持体８が挿通していた挿通孔４を有する屋根面材３を取り外す（図５の処理Ｓ３）。
【００２８】
屋根１においては、屋根面材３を取り外した跡に露出するアンカー８２を撤去し（図５の処理Ｓ４）、続いてベース８１も撤去する（図５の処理Ｓ５）。
ベース８１を外した跡では、屋根下地材２に残された固定用のねじ孔等に対し、コーキング材２１を充填し、屋根下地材２の防水処理を施しておく（図５の処理Ｓ６）。
【００２９】
取り外した屋根面材３に対しては、挿通孔４の周辺に残っている支持体８のコーキング残滓を除去する等、適宜清掃しておく（図５の処理Ｓ１１）。
次に、図７に示すように、屋根面材３の表側から、キャップ部材１３を装着する（図５の処理Ｓ１２）。この際、ねじ軸部１２に表側パッキン材１４を通しておき、この状態でねじ軸部１２を挿通孔４に挿通させる。
【００３０】
続いて、図８に示すように、屋根面材３の裏面側から、挿通孔４とねじ軸部１２との間の空間にコーキング材を充填する（図５の処理Ｓ１３）。
さらに、屋根面材３の裏面側に突き出しているねじ軸部１２に、裏側パッキン材１５、ワッシャ１６およびナット１７を通し、ナット１７を締め付ける（図５の処理Ｓ１４）。
【００３１】
ナット１７の締め付けにより、図９に示すように、表側パッキン材１４は、カバー部１１と屋根面材３との間に挟み込まれて屋根面材３に密着され、裏側パッキン材１５は、ワッシャ１６と屋根面材３との間に挟み込まれて屋根面材３に密着される。
次に、カバー部１１の周囲および表側パッキン材１４の外周面にコーキング材１９を塗布する（図５の処理Ｓ１５）。
さらに、コーキング材１９の固化を待って、カバー部１１の表面およびコーキング材１９の表面に、屋根面材３に合わせた塗装を行う（図５の処理Ｓ１６）。
【００３２】
以上により、屋根面材３に屋根補修器具１０が装着できたら、この屋根面材３を屋根１の元の位置に戻して固定する（図５の処理Ｓ７）。
その結果、屋根１においては、屋根面材３の挿通孔４が屋根補修器具１０で補修された状態となり、元の屋根面材３を用いた屋根１の復旧が完了する。
【００３３】
以上のような本実施形態によれば、屋根上設備９の撤去前から屋根１に設置されていた屋根面材３を再利用することができ、同仕様の屋根面材３が得られない場合でも、屋根１の復旧を行うことができる。
復旧に用いる屋根面材３においては、挿通孔４をキャップ部材１３で覆うとともに、キャップ部材１３はねじ軸部１２を挿通孔４に通して固定されるため、外部に露出する部分などがなく、カバー部１１のみが露出することになる。従って、復旧された屋根１の外観性を良好にできる。
【００３４】
取り外した屋根面材３においては、キャップ部材１３と屋根面材３との間の防水処理（表側パッキン材１４、裏側パッキン材１５、コーキング材１８，１９）を行うとともに、屋根面材３を取り外した部分においては、屋根下地材２の防水処理（コーキング材２１）を行っておくことで、復旧された屋根１の防水性能を良好にできる。
復旧作業にあたって、屋根面材３への施工（キャップ部材１３の装着ないし防水処理）は、屋根面材３を屋根１から取り外した状態で行うことができる。一方、屋根１において、支持体８の撤去ないし防水処理は、屋根面材３が取り外された状態で行うことができる。従って、それぞれ無理な姿勢あるいは作業を解消でき、屋根１の復旧を容易に行うことができる。
【００３５】
本実施形態では、キャップ部材１３にねじ軸部１２およびナット１７を用いたため、キャップ部材１３の固定を容易かつ確実に行うことができる。
さらに、表側パッキン材１４および裏側パッキン材１５を用い、屋根面材３に圧接させることで、挿通孔４の表側および裏側における防水性能を強化することができる。
本実施形態では、コーキング材１８，１９により、挿通孔４の周辺の防水性能を更に強化できる。時に、表側パッキン材１４の外周面のコーキング材１９については、表側パッキン材１４が既に圧縮された状態でコーキング施工を行うため、固化したコーキング材１９に変形などが生じず、所期の防水性を確保することができる。
【００３６】
本実施形態では、カバー部１１の表面に、サンドブラスト処理などで微小な凹凸が形成されている。このため、屋根面材に親和性が高い塗料による塗装を行った際に、塗装の定着性を向上することができる。
【００３７】
なお、本発明は前述した実施形態に限定されるものではなく、本発明の目的を達成できる範囲での変形などは、本発明に含まれる。
前述した実施形態では、キャップ部材１３のカバー部１１を球面状に形成したが、カバー部１１は他の形状であってもよい。例えば、カバー部１１は平坦な板状、円筒面状などであってもよく、その外周形状は円形に限らず、六角形や矩形などであってもよい。
【００３８】
前述した実施形態では、キャップ部材１３のカバー部１１にサンドブラスト処理で微小な凹凸を形成したが、化学的な処理など他の手段を利用してもよい。
あるいは、キャップ部材１３のカバー部１１に、塗装下地としてプライマー処理を施してもよい。
なお、キャップ部材１３のカバー部１１に塗装を行うことは本発明に必須ではなく、塗装なしとしてもよい。
【００３９】
キャップ部材１３、ワッシャ１６およびナット１７の材質は、ステンレス材に限らず、他の材質であってもよい。但し、屋根１への適用という点で、防錆性能が高いことが望ましい。
前述した実施形態では、キャップ部材１３のカバー部１１とねじ軸部１２との接合に溶接を用いたが、接着剤を用いた接合であってもよく、嵌め込みなどの機械的な接合であってもよい。
さらに、キャップ部材１３のカバー部１１およびねじ軸部１２は、別体でなく予め一体に形成されたものであってもよい。例えば、カバー部１１およびねじ軸部１２を合成樹脂製とする場合など、カバー部１１およびねじ軸部１２を一体成形してもよい。
【００４０】
前述した実施形態では、キャップ部材１３の軸部をねじ軸部１２とし、ナット１７を螺合させることでキャップ部材１３を固定していた。ただし、キャップ部材１３の軸部は雄ねじ形状をもたない表面が平滑な棒状とし、その途中に留め具を装着してキャップ部材１３を固定してもよい。留め具としては、軸部を挟み付けるもの、筒状に形成されて側面の小ねじで軸部を締め付けるものなどが利用できる。
【００４１】
前述した実施形態では、支持体８の撤去にあたって、屋根下地材２からベース８１およびアンカー８２の両方を撤去したが、補修された屋根面材３（キャップ部材１３付き）を再度取り付けた際に干渉することがなければ、ベース８１を残してアンカー８２のみを撤去するとしてもよい。
【００４２】
表側パッキン材１４および裏側パッキン材１５は、それぞれ発泡体に限らず、また材質もクロロプレンゴム製に限らず、屋根面材３に対する密着性が得られる他の弾性樹脂材料であってもよい。ただし、屋根１で使用されることから、耐候性が優れているものが好ましい。
これらの表側パッキン材１４および裏側パッキン材１５は、適宜省略してもよい。
例えば、屋根面材３に装着した状態で、カバー部１１と屋根面材３の表面との間の隙間が小さく略一定であるなら、表側パッキン材１４を省略してコーキング材１９のみで代替することができる。
【００４３】
また、屋根面材３に装着した状態で、カバー部１１と屋根面材３の裏面との間の隙間が小さく略一定であるなら、裏側パッキン材１５を省略し、屋根面材３の裏面とワッシャ１６との間にコーキング材を充填することで代替してもよい。
さらに、コーキング材１８，１９，２１の各々についても、表側パッキン材１４および裏側パッキン材１５による防水性能、および他のコーキング部分での防水性能が十分であるならば、その一部を省略してもよい。
【００４４】
前述した実施形態では、屋根１の補修手順として、図５に示すように、屋根補修器具１０の準備から屋根面材３の取り外し（処理Ｓ１〜Ｓ３）を行ったのち、屋根１上では取り外した跡の処理（処理Ｓ４〜Ｓ６）を行い、別の場所で取り外した屋根面材３の補修処理（処理Ｓ１１〜Ｓ１６）を行い、補修した屋根面材３を屋根１に戻すようにしていた。すなわち、処理Ｓ４〜Ｓ６と、処理Ｓ１１〜Ｓ１６とを並列処理するとしていた。
これに対し、単一の作業者が補修を行う場合など、屋根１上で処理Ｓ１〜Ｓ３を行ったのち、引き続き処理Ｓ４〜Ｓ６を行い、こののち屋根１から降りて処理Ｓ１１〜Ｓ１６を行い、屋根１上に戻って処理Ｓ７を行うようにしてもよい。
あるいは、屋根１上で処理Ｓ１〜Ｓ３を行ったのち、屋根１から降りて処理Ｓ１１〜Ｓ１６を行い、こののち屋根１上に戻って処理Ｓ４〜Ｓ６を行い、続いて処理Ｓ７を行うようにしてもよい。
【産業上の利用可能性】
【００４５】
本発明は、屋根補修方法および屋根補修器具に関し、屋根上設備の撤去跡を復旧する際に利用できる。
【符号の説明】
【００４６】
１…屋根、１０…屋根補修器具、１１…カバー部、１２…ねじ軸部、１３…キャップ部材、１４…表側パッキン材、１５…裏側パッキン材、１６…ワッシャ、１７…ナット、１８、１９，２１…コーキング材、２…屋根下地材、３…屋根面材、４…挿通孔、８…支持体、８１…ベース、８２…アンカー、９…屋根上設備。
【図１】
2017072010.tif 000003
【図２】
2017072010.tif 000004
【図３】
2017072010.tif 000005
【図４】
2017072010.tif 000006
【図５】
2017072010.tif 000007
【図６】
2017072010.tif 000008
【図７】
2017072010.tif 000009
【図８】
2017072010.tif 000010
【図９】
2017072010.tif 000011